(57)【特許請求の範囲】
【請求項１】
積層配置された複数の回路基板を備えた電子機器において、上段側の回路基板には、下段側の回路基板に実装されたノイズ源及びノイズ低減用素子に正対するとともに前記ノイズ源およびノイズ低減用素子を含む所定の大きさの開口または切り欠きが設けられ、前記ノイズ源から発生した電磁ノイズを吸収する電磁波吸収材から構成された蓋で前記開口または前記切り欠きを閉塞することを特徴とする電子機器。
【請求項２】
前記電子機器は、光源と、この光源から出射される光束を光学的に処理して画像情報に応じた光学像を形成する光学系と、この光学系で形成される画像を拡大投射する投射レンズと、前記光学系を構成する光変調装置を駆動制御する光変調装置駆動手段が設けられた上段と下段の２枚の回路基板と、を備えた投射型表示装置であることを特徴とする請求項１記載の電子機器。
【発明の詳細な説明】
【０００１】
【発明の属する技術分野】
本発明は、積層配置された複数の回路基板を備えた電子機器に係り、特に下段側の回路基板にノイズ源が実装されている電子機器に関する。
【０００２】
【従来の技術】
従来より、光源ランプと、この光源ランプから出射される光束を光学的に処理して画像情報に応じた光学像を形成する光学系と、この光学系で形成される画像を投射面に拡大投射する投射レンズとを備えた投射型表示装置が知られている。このような投射型表示装置は、会議、学会、展示会等でのプレゼンテーションに広く利用される。
【０００３】
上述した投射型表示装置には、ビデオ、コンピュータ等が接続され、ビデオ、コンピュータ等の機器から出力される画像情報は、光学系を構成する光変調装置によって変調され、これにより、投射型表示装置は、画像情報に応じた光学像を形成することができる。具体的には、画像情報となるコンポジット信号、ＲＧＢ信号は、光変調装置を駆動制御する光変調装置駆動手段を介して、光変調装置に供給される。光変調装置駆動手段は、コンポジット信号、ＲＧＢ信号等の画像信号を所定の信号処理によって画像表示に適合する信号形態に変換し、この変換された信号を光変調装置を駆動する部分に供給するものである。このような光変調装置駆動手段は、入力される画像信号により光変調装置を駆動する回路として１枚の回路基板に一体に形成されていた。
【０００４】
また、前記した投射型表示装置その他の各種電子機器が広く普及し、これらの電子機器の動作により放射される電磁ノイズが問題となっている。特に、高周波を取り扱うデジタル電子機器から放射される電磁ノイズによって、テレビやラジオなどには明らかな受信障害が生じることから、デジタル電子機器業界では、電磁ノイズの放射を抑制することが強く求められている。なお、ノイズ対策としては、回路的工夫を凝らしたり、シールドを行ったり、ノイズ低減用素子（ノイズ対策部品）を用いる等の方法があるが、ノイズ低減用素子を用いる方法は、効果が安定しており、設計に組み込み易いことと、基板に実装できることから、一般に広く利用されている。
【０００５】
そして、機器の駆動を制御する制御回路基板を備えた電子機器では、開発段階において試作品である電子機器から放射される電磁ノイズが、例えば日本国内においては、ＶＣＣＩ（情報処理装置等電波障害自主規制協議会）規格を満たすか否かを調べ、規格値を越えている場合には、ノイズ源近傍に設けられているＥＭＩ除去フィルターやコンデンサ等のノイズ低減用素子を適切なものに取り替える等して、電子機器から放射されるノイズが規格値以下になるように調整（以下、これをノイズ低減調整という）するようになっている。
【０００６】
具体的には、まず電子機器から放射される電磁ノイズをノイズ測定専用の測定機（受信機）を使って測定する。そして、ＶＣＣＩ規格外の場合には、例えば電子機器の上ケースを外す等して、ノイズ源と思われる電子部品にスペクトラムアナライザーのプローブを接近させ、この電子部品から発生するノイズの周波数やその絶対値を測定し、ノイズ源を特定する。次いで、特定されたノイズ源である電子部品に設けられているノイズ低減用素子を適正な別のものに交換する等した後、上ケースを取り付け、再びノイズ測定専用の測定機（受信機）により、電子機器からの放射ノイズを測定し、ノイズ低減効果を確認する。そして、電子機器から放射されるノイズがＶＣＣＩ規格を満たすようになるまで、この作業を繰り返すのである。
【０００７】
【発明が解決しようとする課題】
しかし、投射型表示装置に代表される最近の電子機器においては、装置のコンパクト化と電子部品搭載スペースの確保という双方を満足するために、回路基板が積層配置された構造となっている。そして、このような構造で、ノイズ源となりうる電子部品が下段の回路基板に実装されている場合には、単に上ケースを取り外しただけでは、上段の回路基板が邪魔になってノイズの低減調整を行うことができない。即ち、上段の回路基板を取り外さない限り、ノイズ源にスペクトラムアナライザーのプローブを接近させることができず、ノイズ源から出る電磁ノイズの周波数やその絶対値を測定し、ノイズ源を特定したり、ノイズ低減のための調整を行うことができず、非常に面倒であった。
【０００８】
この点につき具体的に説明すると、上段の回路基板を取り外し、下段の回路基板（に設けられたノイズ源と思われる電子部品）を露呈させた状態にしてから、スペクトラムアナライザーによる測定によりノイズ源を特定し、ノイズ源低減用素子を交換する等のノイズ低減措置を施し、上段の回路基板を取り付け、さらに上ケースを装着して製品としての電気機器に復元した後に、やっとノイズ低減効果を確認するためのノイズ測定専用の測定機（受信機）によるノイズの測定ができるのである。
【０００９】
さらに、上段の回路基板を取り外す前の状態と、上段の回路基板を取り外し、再び取り付けた状態とでは、回路基板同士を接続するコネクターの接触状態が変化したり、上段の回路基板締結用のねじの締め具合やねじ螺合部の摩耗度が変化して、電子機器から放射される電磁ノイズの周波数やその量に差が生じ、測定データの再現性が悪い。即ち、ノイズ低減調整後は、上段の回路基板の取り付け方等が誤差要因として表われ、正確な比較データがとれないという問題もあった。
【００１０】
本発明は前記した従来技術の問題点に鑑みなされたもので、その目的は、積層配置された複数の回路基板の下段側回路基板に搭載されたノイズ源に対し、上段側回路基板を取り外さなくてもノイズの低減調整を行うことの可能な電子機器を提供することにある。
【００１１】
【課題を解決するための手段】
本発明に係る電子機器においては、積層配置された複数の回路基板を備えた電子機器において、上段側の回路基板には、下段側の回路基板に実装されたノイズ源及びノイズ低減用素子に正対するとともにノイズ源およびノイズ低減用素子を含む所定の大きさの開口または切欠きを設けるようにしたものである。
【００１２】
上段側回路基板の開口または切り欠きから電磁ノイズ測定用のプローブを挿入し、下段側回路基板に実装されているノイズ源に接近させて、ノイズ源から発生する電磁ノイズの周波数やその絶対値を測定することができる。そして、このノイズ源から発生するノイズが原因となって、電子機器から放射される電磁ノイズが規格値を越えている場合には、上段側回路基板の開口または切り欠きを介して、ノイズ源近傍に実装されているノイズ低減用素子をノイズの低減に有効なものに取り替えることで、電子機器から放射される電磁ノイズを規格値以下にできる。即ち、上段側回路基板を取り外すことなく、ノイズの低減調整ができるので、ノイズ低減調整作業が簡単となる。
【００１３】
また、ノイズ低減調整に際し、上段側の回路基板を取り外さないので、上段側回路基板の装脱着に伴う誤差要因がなく、測定データの再現性がよい。従って、ノイズ測定専用の測定機（受信機）により、ノイズ低減調整前後の正確な比較データを測定でき、電子機器から放射されるノイズが規格内に収まるように正確に調整できる。
【００１４】
また、本発明において、前記開口または切り欠きは、その最も小さい部分の長さを１ｃｍ以上、１０ｃｍ以下に形成することが望ましい。また、開口または切り欠きにおける最も小さい部分とは、開口や切り欠きが矩形の場合は短辺、円の場合は直径、楕円の場合は短径、異形状の場合は開口（切り欠き）周縁部間の最小間隔部分を示す。そして、スペクトラムアナライザーのプローブを差し込んだり、ノイズ低減用素子を必要に応じて取り替える作業を行うためには、開口または切り欠きの最も小さい部分の長さを１ｃｍ以上にする必要がある。また、回路基板における電子部品搭載スペースを狭めないためには、開口または切り欠きの最も小さい部分の長さを１０ｃｍ以下にする必要がある。
【００１５】
このように構成することで、上段側回路基板の開口又は切り欠きを介して、スペクトラムアナライザーのプローブの出し入れと、ノイズ低減用素子の交換とをスムーズに遂行できる。また、回路基板に設けた開口または切り欠きは、回路基板における電子部品実装スペースをそれ程狭めるものではない。特に、回路基板の表裏両面に電子部品を実装するようにすれば、開口または切り欠きを設けることによる電子部品実装スペースの減少を極力避けることができる。
【００１６】
また、本発明において、前記開口又は切り欠きに、前記ノイズ源から発生した電磁ノイズを吸収する電磁波吸収材又は電磁ノイズを反射する電磁波反射材から構成された蓋を装着することが望ましい。
【００１７】
上段側回路基板の開口又は切り欠きに放射された電磁ノイズは、開口又は切り欠きに装着された電磁波吸収材又は反射材からなる蓋により吸収又は反射されるので、開口又は切り欠きを介して電磁ノイズが外部に放射されず、さらなるノイズの低減が期待できる。
【００１８】
また、本発明において、前記電子機器を、光源と、この光源から出射される光束を光学的に処理して画像情報に応じた光学像を形成する光学系と、この光学系で形成される画像を拡大投射する投射レンズと、前記光学系を構成する光変調装置を駆動制御する光変調装置駆動手段が設けられた上段と下段の２枚の回路基板と、を備えた投射型表示装置によって構成することが望ましい。
【００１９】
光変調装置駆動手段を設けた回路基板が積層配置されているため、光変調装置駆動手段を構成する部品点数を多くしても十分に実装できるので、高性能にしてコンパクトで、しかも電磁ノイズ放射のない投射型表示装置が提供される。
【００２０】
【発明の実施の形態】
以下、本発明の実施の一形態を図面に基づいて説明する。
【００２１】
（１）装置の全体構成
図１、図２には、本実施形態に係る投射型表示装置１の概略斜視図が示され、図１は上面側から見た斜視図、図２は下面側から見た斜視図である。
【００２２】
投射型表示装置１は、光源ランプから出射された光束を赤（Ｒ）、緑（Ｇ）、青（Ｂ）の三原色に分離し、これらの各色光束を液晶パネル（変調系）を通して画像情報に対応させて変調し、変調した後の各色の変調光束をプリズム（色合成光学系）により合成して、投射レンズ６を介して投射面上に拡大表示する形式のものである。投射レンズ６の一部を除いて、各構成部品は外装ケース２の内部に収納されている。
【００２３】
（２）外装ケースの構造
外装ケース２は、基本的には、装置上面を覆うアッパーケース３と、装置底面を構成するロアーケース４と、背面部分を覆うリアケース５（図２）とから構成されている。
【００２４】
図１に示されるように、アッパーケース３の上面において、その前方側の左右の端には、多数の連通孔２５Ｒ、２５Ｌが形成されている。また、これらの連通孔２５Ｒ、２５Ｌ間には、投射型表示装置１の画質、ピント等を調整するための操作スイッチ６０が設けられている。さらに、アッパーケース３の前面の向かって左下部分には、図示略のリモートコントローラからの光信号を受信するための受光部７０が設けられている。
【００２５】
図２に示されるように、ロアーケース４の底面には、内部に収納される光源ランプユニット８（後述）を交換するためのランプ交換蓋２７と、装置内部を冷却するための空気取入口２４０が形成されたエアフィルタカバー２３とが設けられている。
【００２６】
また、ロアーケース４の底面には、図２に示すように、その前端の略中央部にフット３１Ｃが設けられ、後端の左右の角部にフット３１Ｒ、３１Ｌが設けられている。尚、フット３１Ｃは、図１に示すレバー３１１を上方に引き上げることにより、後方側の回動機構３１２（図２）によって回動し、図２中の二点鎖線で示すように、前方側が装置本体から離間して開いた状態に付勢される。そして、その回動量を調整することで、投射面上の表示画面の上下方向位置を変更できるようになっている。一方、フット３１Ｒ、３１Ｌは、回転させることで突出方向に進退する構成であり、その進退量を調整することによって表示画面の傾きを変更することが可能である。
【００２７】
リアケース５には、図２に示すように、外部電力供給用のＡＣインレット５０や各種の入出力端子群５１が配置され、これらの入出力端子群５１に隣接して、装置内部の空気を排出する排気口１６０が形成されている。
【００２８】
（３）装置の内部構造
図３〜図５には、投射型表示装置１の内部構造が示されている。図３および図４は装置内部の概略斜視図であり、図５は投射型表示装置１の垂直方向断面図である。
【００２９】
これらの図に示すように、外装ケース２の内部には、電源としての電源ユニット７、光源ランプユニット８、光学系を構成する光学ユニット１０、２枚の回路基板から構成される光変調装置駆動手段となるドライバボード８０、メインボード１２などが配置されている。
【００３０】
電源ユニット７は、投射レンズ６の両側に配置された第１、第２電源ブロック７Ａ、７Ｂで構成されている。第１電源ブロック７Ａは、ＡＣインレット５０を通して得られる電力を変圧して主に第２電源ブロック７Ｂおよび光源ランプユニット８に供給するものであり、トランス（変圧器）、整流回路、平滑回路、電圧安定回路等を備えている。第２電源ブロック７Ｂは、第１電源ブロック７Ａから得られる電力をさらに変圧して供給するものであり、第１電源ブロック７Ａと同様にトランスの他、各種の回路を備えている。そして、その電力は光学ユニット１０の下側に配置された電源回路基板１３（図４中に点線で図示）および各電源ブロック７Ａ、７Ｂに隣接配置された第１、第２吸気ファン１７Ａ、１７Ｂに供給される。また、電源回路基板１３上の電源回路では、第２電源ブロック７Ｂからの電力を基にして主にメインボード１２上の制御回路駆動用の電力を造り出しているとともに、その他の低電力部品用の電力を造り出している。ここで、第２吸気ファン１７Ｂは、第２電源ブロック７Ｂと投射レンズ６との間に配置されており、投射レンズ６とアッパーケース３（図１）との間に形成される隙間を通して冷却用空気を外部から内部に吸引するように設けられている。そして、各電源ブロック７Ａ、７Ｂは、アルミ等の導電性を有するカバー部材２５０Ａ、２５０Ｂを備え、各カバー部材２５０Ａ、２５０Ｂには、アッパーケース３の連通孔２５Ｒ、２５Ｌに対応する位置に音声出力用のスピーカ２５１Ｒ、２５１Ｌが設けられている。
【００３１】
光源ランプユニット８は、投射型表示装置１の光源部分を構成するものであり、光源ランプ１８１およびリフレクタ１８２からなる光源装置１８３と、この光源装置１８３を収納するランプハウジング１８４とを有している。このような光源ランプユニット８は、下ライトガイド９０２（図５）と一体に形成された収容部９０２１で覆われており、上述したランプ交換蓋２７から取り外せるように構成されている。収容部９０２１の後方には、リアケース５の排気口１６０に対応した位置に一対の排気ファン１６が左右に並設されており、これらの排気ファン１６によって第１〜第３吸気ファン１７Ａ〜１７Ｃで吸引された冷却用空気を収容部９０２１近傍に設けられた開口部からその内部に導き入れるとともに、この冷却用空気で光源ランプユニット８を冷却した後、その冷却用空気を排気口１６０から排気している。尚、各排気ファン１６の電力は、電源回路基板１３から供給されるようになっている。
【００３２】
光学ユニット１０は、光源ランプユニット８から出射された光束を、光学的に処理して画像情報に対応した光学像を形成するユニットであり、照明光学系９２３、色分離光学系９２４、変調系９２５、および色合成光学系としてのプリズムユニット９１０とを含んで構成される。変調系９２５およびプリズムユニット９１０以外の光学ユニット１０の光学素子は、上下のライトガイド９０１、９０２の間に上下に挟まれて保持された構成となっている。これらの上ライトガイド９０１、下ライトガイド９０２は一体とされて、ロアーケース４の側に固定ネジにより固定されている。また、これらのライトガイド９０１、９０２は、プリズムユニット９１０の側に同じく固定ネジによって固定されている。
【００３３】
直方体状のプリズムユニット９１０は、図６にも示すように、マグネシウムの一体成形品から構成される側面略Ｌ字の構造体であるヘッド体９０３の裏面側に固定ネジにより固定されている。また、変調系９２５を構成する各液晶パネル９２５Ｒ、９２５Ｇ、９２５Ｂは、プリズムユニット９１０の３側面と対向配置され、同様にヘッド体９０３に対して固定ネジにより固定されている。尚、液晶パネル９２５Ｂは、プリズムユニット９１０を挟んで液晶パネル９２５Ｒと対向した位置に設けられており（図７）、図６ではその引出線（点線）および符号のみを示した。そして、これらの液晶パネル９２５Ｒ、９２５Ｇ、９２５Ｂは、ヘッド体９０３の下面に位置しかつ前述の空気取入口２４０に対応して設けられた第３吸気ファン１７Ｃからの冷却用空気によって冷却される。この際、第３吸気ファン１７Ｃの電力は、電源回路基板１３からドライバボード８０を介して供給される。さらに、ヘッド体９０３の前面には、投射レンズ６の基端側が同じく固定ネジによって固定されている。このようにプリズムユニット９１０、変調系９２５、投射レンズ６を搭載したヘッド体９０３は、図５に示すように、ロアーケース４に対して固定ネジにより固定されている。
【００３４】
ドライバボード８０は、上述した変調系９２５の各液晶パネル９２５Ｒ、９２５Ｇ、９２５Ｂを駆動制御するためのものであり、後述する下段側回路基板８１および上段側回路基板８２から構成されている。下段側回路基板８１および上段側回路基板８２は、光学ユニット１０の上方にスタッドボルト９０１１を介して離間して積層配置され、それぞれの回路基板８１，８２の上下両面には、図９に示すように、制御回路を形成する多くの回路素子が実装されている。両基板８１、８２は、互いに対向する面の対応する位置に設けられたコネクタ９０（９０ａ，９０ｂ）により電気的に接続されている。
【００３５】
そして、前述した第３吸気ファン１７Ｃによって吸引された冷却用空気は、液晶パネル９２５Ｒ、９２５Ｇ、９２５Ｂを冷却した後、回路基板８１，８２間の上下面に沿って供給され、各基板８１、８２に実装されている各回路素子を冷却する。
【００３６】
メインボード１２は、投射型表示装置１全体を制御する制御回路が形成されたものであり、光学ユニット１０の側方に立設されている。このようなメインボード１２は、前述のドライバボード８０、操作スイッチ６０と電気的に接続されている他、入出力端子群５１が設けられたインターフェース基板１４およびビデオ基板１５と電気的に接続され、また、コネクター等を介して電源回路基板１３に接続されている。そして、メインボード１２の制御回路は電源回路基板１３上の電源回路で造られた電力、すなわち第２電源ブロック７Ｂからの電力によって駆動されるようになっている。尚、メインボード１２の冷却は、第２吸気ファン１７Ｂから第２電源ブロック７Ｂを通って流入する冷却用空気で行われる。
【００３７】
図３において、メインボード１２と外装ケース２（図３ではロアーケース４およびリアケース５のみを図示）との間には、アルミ等の金属製のガード部材１９が配置されている。このガード部材１９は、メインボード１２の上下端にわたる大きな面状部１９１を有しているとともに、上部側が固定ネジ１９２で第２電源ブロック７Ｂのカバー部材２５０Ｂに固定され、下端がロアーケース４の例えばスリットに係合支持され、この結果、ロアーケース４にアッパーケース３を取り付ける際にアッパーケース３（図１）とメインボード１２との干渉を防ぐ他、メインボード１２を外部ノイズから保護している。
【００３８】
（４）光学系の構造
次に、投射型表示装置１の光学系即ち光学ユニット１０の構造について、図７に示す模式図に基づいて説明する。
【００３９】
上述したように、光学ユニット１０は、光源ランプユニット８からの光束（Ｗ）の面内照度分布を均一化する照明光学系９２３と、この照明光学系９２３からの光束（Ｗ）を、赤（Ｒ）、緑（Ｇ）、青（Ｂ）に分離する色分離光学系９２４と、各色光束Ｒ、Ｇ、Ｂを画像情報に応じて変調する変調系９２５と、変調後の各色光束を合成する色合成光学系としてのプリズムユニット９１０とを含んで構成されている。
【００４０】
照明光学系９２３は、光源ランプユニット８から出射された光束Ｗの光軸１ａを装置前方向に折り曲げる反射ミラー９３１と、この反射ミラー９３１を挟んで配置される第１のレンズ板９２１および第２のレンズ板９２２とを備えている。
第１のレンズ板９２１は、マトリクス状に配置された複数の矩形レンズを有しており、光源から出射された光束を複数の部分光束に分割し、各部分光束を第２のレンズ板９２２の近傍で集光させる。
【００４１】
第２のレンズ板９２２は、マトリクス状に配置された複数の矩形レンズを有しており、第１のレンズ板９２１から出射された各部分光束を変調系９２５を構成する液晶パネル９２５Ｒ、９２５Ｇ、９２５Ｂ（後述）上に重畳させる機能を有している。
【００４２】
このように、本例の投射型表示装置１では、照明光学系９２３により、液晶パネル９２５Ｒ、９２５Ｇ、９２５Ｂ上をほぼ均一な照度の光で照明することができるので、照度ムラのない投射画像を得ることができる。
【００４３】
色分離光学系９２４は、青緑反射ダイクロイックミラー９４１と、緑反射ダイクロイックミラー９４２と、反射ミラー９４３から構成される。まず、青緑反射ダイクロイックミラー９４１において、照明光学系９２３から出射される光束Ｗに含まれている青色光束Ｂおよび緑色光束Ｇが直角に反射され、緑反射ダイクロイックミラー９４２の側に向かう。
【００４４】
赤色光束Ｒはこの青緑反射ダイクロイックミラー９４１を通過して、後方の反射ミラー９４３で直角に反射されて、赤色光束Ｒの出射部９４４からプリズムユニット９１０の側に出射される。次に、青緑反射ダイクロイックミラー９４１において反射された青色、緑色光束Ｂ、Ｇのうち、緑反射ダイクロイックミラー９４２において、緑色光束Ｇのみが直角に反射されて、緑色光束Ｇの出射部９４５からプリズムユニット９１０側に出射される。この緑反射ダイクロイックミラー９４２を通過した青色光束Ｂは、青色光束Ｂの出射部９４６から導光系９２７の側に出射される。本例では、照明光学系９２３の光束Ｗの出射部から、色分離光学系９２４における各色光束Ｒ、Ｇ、Ｂの出射部９４４、９４５、９４６までの距離が全て等しくなるように設定されている。
【００４５】
色分離光学系９２４の赤色、緑色光束Ｒ、Ｇの出射部９４４、９４５の出射側には、それぞれ集光レンズ９５１、９５２が配置されている。従って、各出射部から出射した赤色、緑色光束Ｒ、Ｇは、これらの集光レンズ９５１、９５２に入射して平行化される。
【００４６】
このように平行化された赤色、緑色光束Ｒ、Ｇは、入射側偏光板９６０Ｒ、９６０Ｇを通って液晶パネル９２５Ｒ、９２５Ｇに入射して変調され、各色光に対応した画像情報が付加される。すなわち、これらの液晶パネル９２５Ｒ、９２５Ｇは、前述のドライバボード８０によって画像情報に応じてスイッチング制御されて、これにより、ここを通過する各色光の変調が行われる。一方、青色光束Ｂは、導光系９２７を介して対応する液晶パネル９２５Ｂに導かれ、ここにおいて、同様に画像情報に応じて変調が施される。尚、本実施形態の液晶パネル９２５Ｒ、９２５Ｇ、９２５Ｂとしては、例えば、ポリシリコンＴＦＴをスイッチング素子として用いたものを採用することができる。
【００４７】
導光系９２７は、青色光束Ｂの出射部９４６の出射側に配置した集光レンズ９５４と、入射側反射ミラー９７１と、出射側反射ミラー９７２と、これらの反射ミラーの間に配置した中間レンズ９７３と、液晶パネル９２５Ｂの手前側に配置した集光レンズ９５３とから構成されており、集光レンズ９５３から出射した青色光束Ｂは、入射側偏光板９６０Ｂを通って液晶パネル９２５Ｂに入射して変調される。この際、光束Ｗの光軸１ａおよび各色光束Ｒ、Ｇ、Ｂの光軸１ｒ、１ｇ、１ｂは同一平面内に形成されるようになる。そして、各色光束の光路の長さ、すなわち光源ランプ１８１から各液晶パネルまでの距離は、青色光束Ｂが最も長くなり、従って、この光束の光量損失が最も多くなる。しかし、導光系９２７を介在させることにより、光量損失を抑制できる。
【００４８】
次に、各液晶パネル９２５Ｒ、９２５Ｇ、９２５Ｂを通って変調された各色光束Ｒ、Ｇ、Ｂは、出射側偏光板９６１Ｒ、９６１Ｇ、９６１Ｂを通ってプリズムユニット９１０に入射され、ここで合成される。そして、このプリズムユニット９１０によって合成されたカラー画像が投射レンズ６を介して所定の位置にある投射面１００上に拡大投射されるようになっている。
【００４９】
（５）光変調装置駆動制御手段（ドライバボード）８０の構造
前述のようにドライバボード８０は、上段側の回路基板８２と、下段側の回路基板８１とが積層された構造で、上段側回路基板８２は、信号処理ブロック８３、タイミング回路ブロック８４およびアンプ８６を含んで構成され、信号処理ブロック８３および下段側回路基板に設けられたＣＰＵ８５が補正回路を構成している。
【００５０】
信号処理ブロック８３は、インターフェース基板１４の入出力端子群５１からビデオ基板１５を介して入力される画像信号ＶＩＤＥＯに基づいて、液晶パネル９２５Ｒ、９２５Ｇ、９２５Ｂに適切な色表示をさせるための駆動制御信号ＳＲ、ＳＧ、ＳＢを出力するブロックであり、各液晶パネル９２５Ｒ、９２５Ｇ、９２５Ｂに応じて設定される３つのルックアップテーブル（ＬＵＴ）８３Ｒ、８３Ｇ、８３Ｂを備えている。そして、駆動制御信号ＳＲ、ＳＧ、ＳＢは、ＬＵＴ８３Ｒ、８３Ｇ、８３Ｂ内部でＤ／Ａ変換されるとともに、アンプ８６によって増幅されて下段側回路基板８１の後述する相展開回路８７Ｒ，８７Ｇ，８７Ｂに出力される。
【００５１】
タイミング回路ブロック８４は、垂直、水平同期信号ＳＹＮＣに基づいて、信号処理ブロック８３、後述する相展開回路ブロック８７Ｒ、８７Ｇ、８７Ｂ、および各液晶パネル９２５Ｒ、９２５Ｇ、９２５Ｂに設けられるドライバＩＣ（図示略）に駆動タイミング信号ＳＴを出力するブロックである。
【００５２】
一方、下段側回路基板８１は、ＣＰＵ８５、相展開回路ブロック８７Ｒ、８７Ｇ、８７Ｂ、スイッチング素子ブロック８８、およびメモリブロック８９を含んで構成され、相展開回路ブロック８７は、各液晶パネル９２５Ｒ、９２５Ｇ、９２５Ｂと接続されている。
【００５３】
ＣＰＵ８５は、上段側回路基板８２に設けられている信号処理ブロック８３およびタイミング回路ブロック８４を制御するものであり、ルックアップテブル（ＬＵＴ）８３Ｒ、８３Ｇ、８３Ｂのテーブル情報を設定制御したり、タイミング回路ブロック８４の出力制御を行っている。また、このＣＰＵ８５は、スイッチング素子ブロック８８およびメモリブロック８９と電気的に接続され、これらに担持された情報を取得できるように構成されている。
【００５４】
相展開回路ブロック８７Ｒ、８７Ｇ、８７Ｂは、液晶パネル９２５Ｒ、９２５Ｇ、９２５Ｂの解像度に応じて、前記駆動制御信号ＳＲ、ＳＧ、ＳＢを相展開する部分である。このように駆動制御信号ＳＲ、ＳＧ、ＳＢを相展開することにより、本来動作速度の遅い液晶パネル９２５Ｒ、９２５Ｇ、９２５Ｂを画像信号ＶＩＤＥＯの変化に応じて素早く動作させることができる。尚、本例における相展開回路ブロック８７Ｒ、８７Ｇ、８７Ｂは、所定の展開相数に設定されたＩＣ（図示略）を複数組み合わせることにより構成できる。具体的には、各相展開回路ブロック８７Ｒ、８７Ｇ、８７Ｂには、信号を６相展開するＩＣを接続する接続部が４つ設けられている（図示略）。そして、液晶パネル９２５Ｒ、９２５Ｇ、９２５Ｂの解像度がＶＧＡ、ＳＶＧＡの場合、ＩＣを１つ接続して６相展開とし、ＸＧＡの場合ＩＣを２つ接続して１２相展開とし、ＳＸＧＡの場合ＩＣを４つ接続して２４相展開とする。
【００５５】
スイッチング素子ブロック８８は、Ｌｏｗ、Ｈｉｇｈに切替可能な２つの抵抗スイッチ８８１、８８２から構成され、２つの抵抗スイッチ８８１、８８２の切替状態の組み合わせにより、個別設定基板８１で対応可能な解像度を判別することができる。本例の場合、以下のような組み合わせで設定されている。
【００５６】
0004290247.tif 000002
メモリブロック８９は、投射型表示装置１の電源を遮断しても記録内容が失われない不揮発性のＥ２ＰＲＯＭから構成され、上述した各液晶パネル９２５Ｒ、９２５Ｇ、９２５Ｂの設定情報が記録される。記録される設定情報には、製造時の各液晶パネル９２５Ｒ、９２５Ｇ、９２５Ｂの偏差、またはこれらのγ特性等の特性値情報、解像度に応じて設定されるリフレッシュレート等の解像度情報等を含むことができる。尚、このような各液晶パネル９２５Ｒ、９２５Ｇ、９２５Ｂの設定情報は、投射型表示装置１の製造後、液晶パネル９２５Ｒ、９２５Ｇ、９２５Ｂの光透過特性等を測定し、その値をメモリブロック８９に記録すればよい。
【００５７】
（６）光変調装置駆動手段（ドライバボード）８０の動作
次に、以上のような構成を有するドライバボード８０の動作について説明する。
【００５８】
▲１▼  投射型表示装置１を起動すると、ＣＰＵ８５は、スイッチング素子ブロック８８およびメモリブロック８９から各液晶パネル９２５Ｒ、９２５Ｇ、９２５Ｂの解像度、γ特性等の設定情報を取得し、取得した設定情報に基づいてＬＵＴ８３Ｒ、８３Ｇ、８３Ｂのテーブル情報を設定する。また、ＣＰＵ８５は、取得した設定情報を、入出力端子群５１を介して投射型表示装置１に接続されるパソコン等の画像出力手段にステータス信号ＳＴＳとして出力する。
【００５９】
▲２▼  入出力端子群５１から入力されたアナログの画像信号は、ビデオ基板１５等によりデジタル変換され、Ｒ、Ｇ、Ｂ各色８ビットからなるデジタルの画像信号ＶＩＤＥＯとして、信号処理ブロック８３を構成するＬＵＴ８３Ｒ、８３Ｇ、８３Ｂに供給される。
【００６０】
▲３▼  各ＬＵＴ８３Ｒ、８３Ｇ、８３Ｂでは、Ｒ、Ｇ、Ｂ各色毎に画像信号ＶＩＤＥＯをインデックスとし、この信号に対応するテーブル情報を内部でアナログ変換した後、駆動制御信号ＳＲ、ＳＧ、ＳＢとして出力する。
【００６１】
▲４▼  この駆動制御信号ＳＲ、ＳＧ、ＳＢは、アンプ８６によって増幅処理された後、下側回路基板８１の相展開回路ブロック８７Ｒ、８７Ｇ、８７Ｂに供給される。相展開回路ブロック８７Ｒ、８７Ｇ、８７Ｂでは、液晶パネル９２５Ｒ、９２５Ｇ、９２５Ｂの解像度に応じて設定された展開数に基づいて駆動制御信号ＳＲ、ＳＧ、ＳＢを相展開し、各液晶パネル９２５Ｒ、９２５Ｇ、９２５ＢのドライバＩＣ（図示略）に出力する。
【００６２】
▲５▼  一方、前記画像信号ＶＩＤＥＯとともに入力される同期信号ＳＹＮＣは、タイミング回路ブロック８４に供給される。タイミング回路ブロック８４は、同期信号ＳＹＮＣ、ＣＰＵ８５からの制御信号ＳＣに基づいて、信号処理ブロック８３、相展開回路ブロック８７Ｒ、８７Ｇ、８７Ｂ、および各液晶パネル９２５Ｒ、９２５Ｇ、９２５ＢのドライバＩＣに駆動タイミング信号ＳＴを出力し、これらの協調動作を図る。
【００６３】
（７）ドライバーボード８０におけるノイズ対策構造
ドライバーボード８０は、前記したように、それぞれ多くの回路素子が実装された上段側回路基板８２と下段側回路基板８１とが積層配置された構造となっている。
【００６４】
そして、下段側回路基板８１上には、図９に示されるように、液晶パネル９２５Ｒ，９２５Ｇ，９２５Ｂの動作を制御するＬＳＩであるＣＰＵ８５が実装されている。ＣＰＵ８５は、ドライバーボード８０（回路基板８１，８２）に実装されている種々の回路素子の中で、最も高い周波数を扱う部位で、それだけ電磁ノイズが発生し易い最大のノイズ源である。
【００６５】
このため、ＣＰＵ８５には、高調波を制御するための信号用又はインダクタ型のＥＭＩ除去フィルター８５ａが実装されて、高速信号の不要な高調波の放射を制御している。また、ＣＰＵ８５に接続されているＤＣ電源ラインには、ＤＣ電源用又はコンデンサ型のＥＭＩ除去フィルター８５ｂが実装されて、ＤＣ電源ラインを通じた電磁ノイズの伝導が防止されている。
【００６６】
一方、上段側回路基板８２には、下段側回路基板８１に設けられているＣＰＵ８５に正対する位置に矩形状の開口１００が形成されており、ＣＰＵ８５がノイズ発生源である場合には、この開口１００を介して、投射型表示装置１におけるノイズ低減調整を行うことができるようになっている。
【００６７】
即ち、開発した投射型表示装置の試作品については、まず、ノイズ測定専用の測定機（受信機）を使って、投射型表示装置から所定距離離間する位置における電磁ノイズを測定し、この測定データＤ1をＶＣＣＩ規格と比較する。そして、規格を満たさない場合には、アッパーケース３を取り外して、図３に示すように、ドライバーボード８０を露出させる。次に、図９に示すように、スペクトラムアナライザー１２０のプローブ１２２を開口１００から差し込み、ノイズ源と思われるＣＰＵ８５に接近させて、ＣＰＵ８５から発生する電磁ノイズの周波数やその絶対値を測定する。そして、この測定データｄ1を測定データＤ1と比較することで、ＣＰＵ８５が測定データＤ1を規格外とする要因か否かを検討する。即ち、投射型表示装置から放射される電磁ノイズが規格外となる原因がＣＰＵ８５にあるか否かを検討する。
【００６８】
そして、この規格を満たさない原因がノイズ源であるＣＰＵ８５にある場合には、開口１００を介してＥＭＩ除去フィルター８５ａ，８５ｂをノイズ低減に適切と思われる他の種類のものに取り替える。そして、アッパーケース３を取り付け、再びノイズ測定専用の測定機（受信機）を使って、投射型表示装置から放射される電磁ノイズを測定する。そして、この測定データＤ2をＥＭＩ除去フィルアダーを交換する以前における測定データＤ1やＶＣＣＩ規格と比較し、ノイズ低減調整の効果を確認する。このようにして、投射型表示装置から放射される電磁ノイズが所定のレベル以下となる（ＶＣＣＩ規格を満たす）ように調整する。
【００６９】
従って、開口１００の大きさは、ＣＰＵ８５より１回り大きくて、プローブ１２２の出し入れができることは勿論であるが、はんだごてやピンセット等を使って、ＥＭＩ除去フィルター８５ａ，８５ｂの交換作業を行うことができるに十分な大きさが望ましい。しかし、開口１００が大きすぎると、制御回路を構成する回路素子の実装スペースが狭められることになるので、あまり大きくしない方が望ましい。そこで、ノイズ低減調整のための作業性と、回路素子の実装スペースを狭めないという両観点から、開口１００は、１辺の長さが５ｃｍの正方形に形成されている。
【００７０】
また、上段側回路板８２に開口１００が設けられているために、上段側回路板８２の内側で発生した電磁ノイズは、それだけこの開口１００から放射される危険がある。そこで、開口１００にノイズ低減用の蓋を設けることが望ましい場合には、金属等の電磁波反射材やフェライト等の電磁波吸収材から構成された蓋１１０で開口１００を閉塞するようにしてもよい。
【００７１】
なお、蓋１１０を開口１００に固定する手段は、ねじ止めや凹凸ランス係合や接着等の所定の固着手段であれば、如何なるものでもよい。
【００７２】
（８）実施形態の変形
尚、本発明は、前述の実施形態に限定されるものではなく、次に示すような変形をも含むものである。
【００７３】
▲１▼  また、上記実施形態では、下段側回路板８１に搭載されているノイズ源であるＣＰＵ８５の真上に開口１００を設けるように構成したが、ノイズ源としてはＣＰＵに限られるものではない。従って、下段側回路板８１に搭載したその他のノイズ源も含んだ所定の大きさに開口や切り欠きを設けて、あるいはその他のノイズ源それぞれの真上に開口や切り欠きを設けて、ノイズ低減調整を行うようにしてもよい。
【００７４】
▲２▼  また、上記実施形態では、ノイズ低減用素子としてＥＭＩ除去フィルター８５ａ，８５ｂを示しているが、ノイズ低減用素子としては除去しようとするノイズの種類により種々のものがあり、ノイズの低減に有効な素子であれば、如何なるものでもよい。
【００７５】
▲３▼  また、上記実施形態では、上段側回路板８２に設けた開口１００が矩形状に形成されていたが、矩形に限るものではなく、円，長円，三角の他プローブの出し入れと、ノイズ低減用素子の取替作業を行い得る形状であれば、如何なる形状であってもよい。
【００７６】
▲４▼  前述の実施形態では、上段側回路基板８２に開口１００が設けられていたが、開口に限るものではなく、所定の大きさの切り欠きであってもよい。
【００７７】
▲５▼  前述の実施形態では、ドライバーボード８０が積層配置された２枚の回路基板８１，８２で構成されていたが、これに限らない。即ち、３枚を積層配置し、最下段の回路基板上にノイズ源が設けられ、上段側の２枚の回路基板の前記ノイズ源に正対する位置に開口又は切り欠きを設けてもよい。
【００７８】
▲６▼  前述の実施形態では、投射型表示装置を例にとって説明したが、本発明はこれに限らず、複数の回路基板が積層配置されて、下段側回路基板にノイズ源が実装された構造の電子機器にも広く適用できる。
【００７９】
その他、本発明の実施の際の具体的な構造および形状等は、本発明の目的を達成できる範囲で他の構造等としてもよい。
【図面の簡単な説明】
【図１】本発明の実施形態に係る投射型表示装置の上部から見た外観斜視図である。
【図２】前記実施形態における投射型表示装置の下部から見た外観斜視図である。
【図３】前記実施形態における投射型表示装置の内部構造を表す斜視図である。
【図４】前記実施形態における投射型表示装置の内部の光学系を表す斜視図である。
【図５】前記実施形態における投射型表示装置の内部構造を表す垂直断面図である。
【図６】前記実施形態における変調系、色合成光学系、投射レンズを搭載する構造体を表す垂直断面図である。
【図７】前記実施形態における投射型表示装置の光学系の構造を説明するための模式図である。
【図８】前記実施形態における光変調装置駆動手段の構造を表すブロック図である。
【図９】前記実施例形態におけるドライバーボードのノイズ対策構造を表す斜視図。
【符号の説明】
１  投射型表示装置
６  投射レンズ
１０  光学系
８０  光変調装置駆動手段であるドライバーボード
８１  下段側の回路基板
８２  上段側の回路基板
８５  ノイズ源であるＣＰＵ
８５ａ，８５ｂ  ＥＭＩ除去フィルター
９０（９０ａ，９０ｂ）コネクター
１００  開口
１１０  開口の蓋
１８１  光源ランプ
９２５Ｒ、９２５Ｇ、９２５Ｂ  光変調装置
【図１】
0004290247.tif 000003
【図２】
0004290247.tif 000004
【図３】
0004290247.tif 000005
【図４】
0004290247.tif 000006
【図５】
0004290247.tif 000007
【図６】
0004290247.tif 000008
【図７】
0004290247.tif 000009
【図８】
0004290247.tif 000010
【図９】
0004290247.tif 000011